(57)【要約】【課題】識別エラーの生じた紙幣を識別装置に戻して再識別させることのできる紙幣収納装置を提供する。【解決手段】遊技機島搬送路から送り出された紙幣を一時保留部１１で一旦受入れ、当該一時保留部１１から１枚ごとに分離して送り出された紙幣を識別手段１４へ通過させ、その後紙幣を収納する紙幣収納装置１０において、識別手段１４で金種の識別できなかった紙幣を、所定のリトライ条件が成立する場合は一時保留部へ搬送するリトライ搬送路１８と、金種の識別できなかった紙幣をリトライ条件が不成立の場合は受け入れて収納するリジェクト部１９とを設けると共に、一時保留部１１への遊技機島搬送路からの紙幣の受け入れ方向とリトライ搬送路からの紙幣の受け入れ方向とを略同一にする。【選択図】図７
2008158609.tif 000002
【特許請求の範囲】
【請求項１】
遊技機島の長手方向に沿って紙幣を搬送する遊技機島搬送路から送り出された紙幣を一時保留部で一旦受入れ、当該一時保留部から１枚ごとに分離して送り出された紙幣を識別手段へ通過させ、その後紙幣を収納する紙幣収納装置において、
前記識別手段で金種の識別できなかった紙幣を、所定のリトライ条件が成立する場合は前記一時保留部へ搬送するリトライ搬送路と、
前記識別手段で金種の識別できなかった紙幣を、前記リトライ条件が不成立の場合は受け入れて収納するリジェクト部と
を備えると共に、
前記遊技機島搬送路から送り出される紙幣の前記一時保留部への受け入れ方向と前記リトライ搬送路から送り出される紙幣の前記一時保留部への受け入れ方向とを略同一にし、
前記遊技機島搬送路から送り出される紙幣よりも前記一時保留部の特定の一方の側部側へ入るように、前記リトライ搬送路から送り出される紙幣を前記一時保留部に受け入れ、
前記一時保留部から１枚ごとに分離して紙幣を送り出す送出手段への送出口を前記特定の一方の側部側に寄せて配置することにより、前記リトライ搬送路から受け入れた紙幣を優先的に前記一時保留部から送り出すようにした
ことを特徴とする紙幣収納装置。
【請求項２】
前記送出手段は、前記一時保留部から紙幣を送り出す方向に回転する順転ローラと該順転ローラの逆方向に回転しかつ前記順転ローラに比べて表面の摩擦力が小さい逆転ローラとを、前記順転ローラが前記特定の一方の側部側となるように対向配置して構成される
ことを特徴とする請求項１に記載の紙幣収納装置。
【請求項３】
前記リトライ搬送路を通る紙幣を検出する検出部を備え、
前記リトライ条件は、前記検出部で単位時間に検出される紙幣の枚数が設定枚数以下の場合は成立し、前記検出部で単位時間に検出される紙幣の枚数が設定枚数を超えた場合は不成立になる
ことを特徴とする請求項１または２に記載の紙幣収納装置。
【請求項４】
前記リトライ搬送路を通る紙幣を検出する検出部を備え、
前記リトライ条件は、前記検出部で検出される紙幣の通過間隔が設定間隔以上の場合は成立し、前記検出部で検出される紙幣の通過間隔が設定間隔未満の場合は不成立になる
ことを特徴とする請求項１乃至３のいずれか１つに記載の紙幣収納装置。
【請求項５】
前記一時保留部内の紙幣の保留量を検出する保留量検出部を備え、
前記リトライ条件は、前記保留量検出部で検出される保留量が設定枚数以下の場合は成立し、前記保留量検出部で検出される保留量が設定枚数を超えた場合は不成立になる
ことを特徴とする請求項１乃至３のいずれか１つに記載の紙幣収納装置。
【請求項６】
遊技機島の長手方向に沿って紙幣を搬送する遊技機島搬送路から送り出された紙幣を一時保留部で一旦受入れ、当該一時保留部から１枚ごとに分離して送り出された紙幣を識別手段へ通過させ、その後紙幣を収納する紙幣収納装置において、
前記識別手段で金種の識別できなかった紙幣を前記一時保留部へ搬送するリトライ搬送路を備えると共に、
前記遊技機島搬送路から送り出される紙幣の前記一時保留部への受け入れ方向と前記リトライ搬送路から送り出される紙幣の前記一時保留部への受け入れ方向とを略同一にした
ことを特徴とする紙幣収納装置。
【発明の詳細な説明】
【技術分野】
【０００１】
本発明は、パチンコ機などが並設された遊技機島に設けられ、遊技客によって遊技媒体貸機などに投入された後に遊技機島の長手方向に沿って搬送されてきた紙幣を受け入れて収容する紙幣収納装置に関する。
【背景技術】
【０００２】
パチンコ機などの遊技機が並設された遊技機島では、一般に、各遊技機の近くに遊技媒体貸機が設置されており、遊技媒体貸機に投入された紙幣は、遊技機島の長手方向に沿って島内に設置された遊技機島搬送路を通じて遊技機島端の紙幣収納装置へ搬送されて収納される。
【０００３】
紙幣収納装置では、遊技機島内を搬送されてきた紙幣を一時保留部で一旦受け入れ、この一時保留部から１枚ごとに分離して送り出した紙幣を識別手段に通過させて金種を識別した後、集積部に収納するようになっている（たとえば、特許文献１参照。）。
【０００４】
遊技媒体貸機に投入された紙幣は、遊技媒体貸機の紙幣投入口のすぐ後ろに配置された識別手段で金種などが識別され、識別できなかった場合は遊技客に返却される。通常、遊技客は紙幣が返却された場合、紙幣の向きや姿勢を整えて再度の投入を試みるので、遊技媒体貸機の識別手段では、通過する紙幣の姿勢が遊技客によってある程度整えられることを期待でき、姿勢の乱れた紙幣が詰まるといった障害は生じ難いので、紙幣の通路の幅は紙幣の幅にできるだけ近づけられている。
【０００５】
一方、紙幣収納装置では、遊技機島搬送路によって遊技機島端まで搬送されてきた紙幣を受け入れるので、紙幣の姿勢が乱れ易くなると共に、遊技客に返却して姿勢を整えてもらうことは期待できない。このため、ある程度姿勢の乱れた紙幣でも詰まることなく通過できるように識別手段の紙幣の通路の幅は紙幣の幅よりも若干広く設定されるが、姿勢の乱れた状態では、紙幣が識別手段を通過する際にその金種を識別できないことがある。
【０００６】
そこで、特許文献１に開示の紙幣収納装置では、金種の識別できなった紙幣を正常に識別できた紙幣から分離して収納するためのリジェクト部を備える構成がとられていた。また、特許文献２には、金種の識別できなかった紙幣をリジェクト部に一旦収納し、営業終了後に、リジェクト部に溜まっている紙幣を別途のリジェクト搬送路によって識別手段より上流側の搬送路へ戻し、再度、識別手段で識別させる紙幣収納装置が開示されている。
【０００７】
また、特許文献３に記載された自動入出金機では、投入された紙幣を一時保留可能な入金部に受け入れた後、該入金部から紙幣を繰り出して識別装置で識別し、金種などを識別できなかった紙幣は反転搬送路を通じて入金部へ再び送り出すようになっている。
【０００８】
【特許文献１】特開２００２−１９７５１１号公報
【特許文献２】特開２００３−２９６７９４号公報
【特許文献３】実開昭６４−４３４７９号公報
【発明の開示】
【発明が解決しようとする課題】
【０００９】
特許文献１に開示された装置のように、１度の識別で金種の識別できなかった紙幣をリジェクト部に収納して回収を待つものでは、姿勢の乱れによる金種の識別エラーが頻繁に起きると、リジェクト部に収納される紙幣の枚数が多くなるため、リジェクト部の容量を大きくしたり、従業員がリジェクト部から紙幣を取り出して回収する手間が増えたりするといった問題があった。
【００１０】
これに対し特許文献２、３に開示された装置では、識別できなかった紙幣を識別手段の上流へ再び戻して再識別するので、紙幣の金種が識別される可能性が高まり、最終的にリジェクト部に収容される紙幣の枚数を減らすことができる。
【００１１】
しかしながら、特許文献２に開示された紙幣収納装置では、リジェクト部から識別手段の上流の搬送路へ紙幣を合流させて戻すので、合流時に紙幣同士が衝突して、搬送路の途中で紙幣の姿勢が乱れて搬送障害（ジャム）が生じる可能性がある。この衝突回避のために、遊技機島搬送路からの紙幣の到来を検知してリジェクト部からの紙幣の送り出しタイミングを制御する構成も考えられるが、その制御や装置構成が複雑になるという問題があった。
【００１２】
一方、特許文献３に開示された自動入出金機では、識別できなかった紙幣を、搬送路に直接戻すのではなく、反転搬送路から入金部へ戻しているが、入金部に顧客が紙幣を投入する方向と反転搬送路から送り出された紙幣を入金部で受け入れる方向とが互いに向き合っているため、このままでは紙幣が互いに衝突して散乱してしまう。このため、反転搬送路から送り出された紙幣をストッパに衝突させて落下させ、プール棚上に集積させ、さらにプール棚をスライドさせて抜き取ることによってこのプール棚上の紙幣を入金部に落下させるといった複雑な機構を用いなければ、入金部に送り返した紙幣を整列させることができないという問題があった。
【００１３】
本発明は、上記の問題を解決しようとするものであり、複雑な機構を使用することなく紙幣を整列させて、識別エラーの生じた紙幣を識別装置に戻して再識別させることのできる紙幣収納装置を提供することを目的とするものである。
【課題を解決するための手段】
【００１４】
かかる目的を達成するための本発明の要旨とするところは、次の各項の発明に存する。
【００１５】
［１］遊技機島の長手方向に沿って紙幣を搬送する遊技機島搬送路（５）から送り出された紙幣を一時保留部（１１）で一旦受入れ、当該一時保留部（１１）から１枚ごとに分離して送り出された紙幣を識別手段（１４）へ通過させ、その後紙幣を収納する紙幣収納装置（１０）において、
前記識別手段（１４）で金種の識別できなかった紙幣を、所定のリトライ条件が成立する場合は前記一時保留部（１１）へ搬送するリトライ搬送路（１８）と、
前記識別手段（１４）で金種の識別できなかった紙幣を、前記リトライ条件が不成立の場合は受け入れて収納するリジェクト部（１９）と
を備えると共に、
前記遊技機島搬送路（５）から送り出される紙幣の前記一時保留部（１１）への受け入れ方向と前記リトライ搬送路（１８）から送り出される紙幣の前記一時保留部（１１）への受け入れ方向とを略同一にし、
前記遊技機島搬送路（５）から送り出される紙幣よりも前記一時保留部（１１）の特定の一方の側部（Ｋ）側へ入るように、前記リトライ搬送路（１８）から送り出される紙幣を前記一時保留部（１１）に受け入れ、
前記一時保留部（１１）から１枚ごとに分離して紙幣を送り出す送出手段（１２）への送出口（１１ｂ）を前記特定の一方の側部（Ｋ）側に寄せて配置することにより、前記リトライ搬送路（１８）から受け入れた紙幣を優先的に前記一時保留部（１１）から送り出すようにした
ことを特徴とする紙幣収納装置（１０）。
【００１６】
上記発明では、遊技機島搬送路（５）によって搬送されたことにより姿勢が乱れて識別手段（１４）で金種を識別できなかった紙幣をリトライ搬送路（１８）によって一時保留部（１１）に戻し、該一時保留部（１１）から識別手段（１４）に再び送り出して再識別させるので、結果的に金種を識別できる可能性が高まり、リジェクト部（１９）へ収納される紙幣の枚数を減らすことができ、リジェクト部（１９）の容量を小さくすることができる。また、遊技機島搬送路（５）から一時保留部（１１）への紙幣の受け入れ方向とリトライ搬送路（１８）から一時保留部（１１）への紙幣の受け入れ方向とを略同一にしたので、リトライ搬送路（１８）から受け入れた紙幣を複雑な機構を用いることなく一時保留部（１１）内で整列させることができる。さらに、リトライ搬送路（１８）から送り込まれた紙幣が優先的に一時保留部（１１）から送り出されるので、遊技機島搬送路（５）から送り出された紙幣の送り出しが少し遅れるようになり、この遅れにより、遊技機島搬送路（５）から送り出されて姿勢の乱れた紙幣が一時保留部（１１）内で姿勢を整える余裕が生じるので、識別手段（１４）で金種が識別できない紙幣や装置（１０）内で発生する搬送障害（ジャム）を減少させることができる。またリジェクト部（１９）へ排出するかリトライ搬送路（１８）を通じて一時保留部（１１）へ戻して再識別させるかを、リトライ条件の成否によって選択するので、金種の識別できない紙幣がいつまでも紙幣収納装置（１０）内を周回することがなくなり、他の紙幣の識別に支障を与えたり、多数の紙幣がリトライ搬送路（１８）に搬送されて搬送障害を引き起したりすることが防止される。
【００１７】
［２］前記送出手段（１２）は、前記一時保留部（１１）から紙幣を送り出す方向に回転する順転ローラ（１２ａ）と該順転ローラ（１２ａ）の逆方向に回転しかつ前記順転ローラ（１２ａ）に比べて表面の摩擦力が小さい逆転ローラ（１２ｂ）とを、前記順転ローラ（１２ａ）が前記特定の一方の側部（Ｋ）側となるように対向配置して構成される
ことを特徴とする［１］に記載の紙幣収納装置（１０）。
【００１８】
上記発明では、送出口（１１ｂ）に到来した紙幣が１枚の場合、逆転ローラ（１２ｂ）の摩擦力が順転ローラ（１２ａ）の摩擦力に比べて小さいので、この紙幣は順転ローラ（１２ａ）との接触により送出口（１１ｂ）から送り出される。一方、紙幣が複数枚重なっている場合は、順転ローラ（１２ａ）に接触している紙幣は送出口（１１ｂ）から送り出され、逆転ローラ（１２ｂ）に接触している紙幣は一時保留部（１１）内に戻される。このようにして、紙幣は１枚ずつ分離して送出口（１１ｂ）から送り出される。
【００１９】
［３］前記リトライ搬送路（１８）を通る紙幣を検出する検出部（４３）を備え、
前記リトライ条件は、前記検出部（４３）で単位時間に検出される紙幣の枚数が設定枚数以下の場合は成立し、前記検出部（４３）で単位時間に検出される紙幣の枚数が設定枚数を超えた場合は不成立になる
ことを特徴とする［１］または［２］に記載の紙幣収納装置（１０）。
【００２０】
上記発明では、設定枚数をリトライ搬送路（１８）で搬送障害が生じない値に設定することで、紙幣収納装置（１０）内を周回する金種の識別できない紙幣を一定枚数以下に抑制することができ、他の紙幣の識別に支障を与えたり、多数の紙幣がリトライ搬送路（１８）に搬送されて搬送障害を引き起したりすることが防止される。
【００２１】
［４］前記リトライ搬送路（１８）を通る紙幣を検出する検出部（４３）を備え、
前記リトライ条件は、前記検出部（４３）で検出される紙幣の通過間隔が設定間隔以上の場合は成立し、前記検出部（４３）で検出される紙幣の通過間隔が設定間隔未満の場合は不成立になる
ことを特徴とする［１］乃至［３］のいずれか１つに記載の紙幣収納装置（１０）。
【００２２】
上記発明では、設定間隔を適宜に定めることで、リトライ搬送路（１８）内で前後の紙幣が衝突するような搬送障害を防止できる。
【００２３】
［５］前記一時保留部（１１）内の紙幣の保留量を検出する保留量検出部（４２）を備え、
前記リトライ条件は、前記保留量検出部（４２）で検出される保留量が設定枚数以下の場合は成立し、前記保留量検出部（４２）で検出される保留量が設定枚数を超えた場合は不成立になる
ことを特徴とする［１］乃至［３］のいずれか１つに記載の紙幣収納装置（１０）。
【００２４】
上記発明では、一時保留部（１１）内に溜まる紙幣の量を設定量以下にすることができ、多くの紙幣が一時保留部（１１）に溜まることによって新たな紙幣の受け入れに支障が生じたり、紙幣の詰まりやジャムが生じたりすることを防止できる。
【００２５】
［６］遊技機島の長手方向に沿って紙幣を搬送する遊技機島搬送路（５）から送り出された紙幣を一時保留部（１１）で一旦受入れ、当該一時保留部（１１）から１枚ごとに分離して送り出された紙幣を識別手段（１４）へ通過させ、その後紙幣を収納する紙幣収納装置（１０）において、
前記識別手段（１４）で金種の識別できなかった紙幣を前記一時保留部（１１）へ搬送するリトライ搬送路（１８）を備えると共に、
前記遊技機島搬送路（５）から送り出される紙幣の前記一時保留部（１１）への受け入れ方向と前記リトライ搬送路（１８）から送り出される紙幣の前記一時保留部（１１）への受け入れ方向とを略同一にした
ことを特徴とする紙幣収納装置（１０）。
【００２６】
上記発明では、遊技機島搬送路（５）によって搬送されたことにより姿勢が乱れて識別手段（１４）で金種を識別できなかった紙幣をリトライ搬送路（１８）によって一時保留部（１１）に戻し、該一時保留部（１１）から識別手段（１４）に再び送り出して再識別させるので、結果的に金種を識別できる可能性が高まる。また、遊技機島搬送路（５）から一時保留部（１１）への紙幣の受け入れ方向とリトライ搬送路（１８）から一時保留部（１１）への紙幣の受け入れ方向とが略同一なので、受け入れた紙幣を複雑な機構を用いることなく一時保留部（１１）内で整列させることができる。なお、リジェクト部（１９）を特に設けなくてもリトライ搬送路（１８）を通る紙幣が一時保留部（１１）で滞留するので、紙幣収納装置（１０）内を周回する金種の識別できない紙幣が増加することはある程度抑制される。
【発明の効果】
【００２７】
本発明に係る紙幣収納装置によれば、遊技機島搬送路によって搬送されたことにより姿勢が乱れて識別手段で金種を識別できなかった紙幣をリトライ搬送路によって一時保留部に戻し、該一時保留部から識別手段に再び送り出して再識別させるので、結果的に金種を識別できる可能性を高めることができる。また、遊技機島搬送路から一時保留部への紙幣の受け入れ方向とリトライ搬送路から一時保留部への紙幣の受け入れ方向とを略同一にしたので、リトライ搬送路から受け入れた紙幣を複雑な機構を用いることなく一時保留部内で整列させることができる。
【００２８】
また、リトライ条件の成否によってリジェクト部へ排出するかリトライ搬送路を通じて一時保留部へ戻して再識別させるかを選択するものでは、金種の識別できない紙幣がいつまでも紙幣収納装置内を周回することがなくなり、他の紙幣の識別に支障を与えたり、多数の紙幣がリトライ搬送路に搬送されて搬送障害を引き起したりすることが防止される。
【００２９】
特に、リトライ搬送路から送り込まれた紙幣が優先的に一時保留部から送り出されるようにしたものでは、遊技機島搬送路から送り出された紙幣の送り出しが少し遅れるようになり、この遅れにより、遊技機島搬送路から送り出されて姿勢の乱れた紙幣が一時保留部内で姿勢を整える余裕が生じるので、識別手段で金種が識別できない紙幣や装置内で発生する搬送障害（ジャム）を減少させることができる。
【発明を実施するための最良の形態】
【００３０】
以下、図面に基づき本発明の各種実施の形態を説明する。
【００３１】
図１は、本発明の実施の形態に係る紙幣収納装置１０の設置された遊技機島２の内部構造を示す正面図であり、図２は、遊技機島２に設置された紙幣収納装置１０およびその関連機器の配置状態を示す上面図である。遊技機島２は、遊技店のフロア上に構築したフレームにパチンコ機などの遊技機３と遊技媒体貸機４とを一組にしたものを多数背中合わせにして表裏面に並設収容している。
【００３２】
遊技媒体貸機４は、遊技機３で使用されるパチンコ球などの遊技媒体を、正面上部の紙幣投入口４ａから投入される紙幣の金額に応じて遊技者に貸し出す装置である。背中合わせにして設置された遊技媒体貸機４の背面間には、各遊技媒体貸機４の背面から排出された紙幣を遊技機島２の端部の紙幣収納装置１０まで搬送する遊技機島搬送路５が、表裏面の各々に対応させて２経路背中合わせにして遊技機島２の長手方向に沿って延設されている。紙幣はその短辺が略垂直となる姿勢で表裏の各遊技機島搬送路５内を紙幣収納装置１０に向けて搬送され、直前で合流されて紙幣収納装置１０内へ送り出される。
【００３３】
図３は紙幣収納装置１０の内部構造を示す上面図、図４は紙幣収納装置１０の内部構造を示す正面図、図５は紙幣収納装置１０の内部構造を示す左側面図である。
【００３４】
紙幣収納装置１０は、遊技機島搬送路５から送り出された紙幣を金種別に収納する装置であり、遊技機島搬送路５から送り出された紙幣を一旦受け入れて保留する一時保留部１１と、一時保留部１１から１枚ごとに分離して紙幣を送り出す送出手段１２と、送出手段１２から送り出された紙幣を搬送する共通搬送路１３と、共通搬送路１３の途中に配置され、通過する紙幣の金種を識別する識別手段１４と、金種の識別に成功した紙幣を金種別に収納するための第１収納部１５および第２収納部１６と、識別手段１４で金種の識別できなかった紙幣を、所定のリトライ条件が成立する場合は一時保留部１１へ搬送するリトライ搬送路１８と、金種の識別できなかった紙幣をリトライ条件が不成立の場合は受け入れて収納するリジェクト部１９とを備えている。
【００３５】
詳細には、一時保留部１１は、遊技機島搬送路５から送り出される紙幣の受け入れ口である第１受入口１１ａを一端部に、共通搬送路１３への紙幣の送出口１１ｂを他端部に備えており、第１受入口１１ａと送出口１１ｂとの間の長さを紙幣の長辺の長さ以上にすると共に、高さを紙幣の短辺の長さ以上にしており、紙幣全体を収納可能な細長の箱形状をなしている。また、一時保留部１１の一方の側部Ｋのうち、第１受入口１１ａと送出口１１ｂとの間の中央付近には、リトライ搬送路１８から送り出される紙幣の受け入れ口である第２受入口１１ｃが設けられている。送出口１１ｂはこの第２受入口１１ｃが設けられている側部Ｋ側に片寄せて配置されている。また、第１受入口１１ａは一時保留部１１内の底面よりも高く配置されているので、第１受入口１１ａから短辺が略垂直となる姿勢のまま受け入れられた紙幣は、自重で一時保留部１１内の底面に落下し当接することにより、姿勢が整えられる。以後、紙幣は紙幣収納装置１０内を短辺が略垂直となる姿勢のまま搬送される。
【００３６】
第１受入口１１ａには円筒状をなす一対の受入ローラ２１が対向配置されている。受入ローラ２１には、上部伝達ギア２３および上部モータギア２４を介してモータ２５の回転が伝達される。モータ２５が図中の矢印Ａの方向に回転することで、受入ローラ２１は遊技機島搬送路５からの紙幣を一時保留部１１の内部へ送り込む方向に回転する。
【００３７】
送出口１１ｂに設けられた送出手段１２は、一時保留部１１から紙幣を送り出す方向に回転する順転ローラ１２ａと、該順転ローラ１２ａの逆方向に回転しかつ順転ローラ１２ａに比べて表面の摩擦力が小さい逆転ローラ１２ｂとを、順転ローラ１２ａが第２受入口１１ｃのある側部Ｋ側となるように対向配置して構成される。
【００３８】
順転ローラ１２ａは、円筒状に形成され、その周面にゴムなどの弾性部材でギヤ状の歯が設けられており、紙幣に対する接触面積と摩擦力とが大きくなるように形成されている。一方、逆転ローラ１２ｂは、順転ローラ１２ａのギア状の歯を両側から挟むように配置される上下２つの円盤状に形成されており、周面に歯はなく、紙幣に対する接触面積と摩擦力は順転ローラ１２ａに比べて小さくなっている。
【００３９】
送出口１１ｂに到達した紙幣が１枚の場合、逆転ローラ１２ｂの摩擦力が順転ローラ１２ａの摩擦力に比べて小さいので、この紙幣は順転ローラ１２ａとの接触により送出口１１ｂから送り出される。一方、送出口１１ｂに到達した紙幣が複数枚重なっている場合は、順転ローラ１２ａに接触している紙幣は送出口１１ｂから送り出され、逆転ローラ１２ｂに接触している紙幣は一時保留部１１内に戻される。このように、紙幣が複数枚重なっている場合でも、送出手段１２は紙幣を１枚ずつ送出口１１ｂから送り出すようになっている。
【００４０】
第２受入口１１ｃが設けられている一時保留部１１の側部Ｋには、第２受入口１１ｃの近傍から送出口１１ｂにかけて紙幣を搬送する送込ベルト２６が設けてある。
【００４１】
さらに、一時保留部１１の側部Ｋと反対側の側部には矩形開口１１ｄ(図４参照)が設けてあり、その外側には、回転ドラム２９の周面から接線方向に軸を挟んで互いに逆方向に伸びる２枚の押圧羽根２８が設けてある。回転ドラム２９はモータ２５の矢印Ａ方向への回転に伴って矢印Ｂ方向へ回転するようになされており、該回転により２枚の押圧羽根２８の先端部分が矩形開口１１ｄから一時保留部１１内へ交互に進入し、一時保留部１１内の紙幣を送込ベルト２６側へ押圧するようになっている。
【００４２】
共通搬送路１３は、送出口１１ｂから搬送ローラ１３ａおよび識別手段１４を経て第１収納部１５に至る搬送路であり、識別手段１４と第１収納部１５との間の経路に沿ってリジェクト部１９および第２収納部１６の入口が配置されている。識別手段１４の有するスリット状の紙幣進入口１４ａ（図５参照）は、通過する紙幣の幅よりもある程度大きく設定されており、ある程度姿勢の乱れた紙幣が進入する場合でも紙幣が詰まらないようになっている。
【００４３】
共通搬送路１３の途中には、紙幣を共通搬送路１３から離脱させてリジェクト部１９へ向かわせるか否かを切り替える切替爪としてのリジェクトゲート３１と、紙幣を共通搬送路１３から離脱させて第２収納部１６へ向かわせるか否かを切り替える切替爪としての収納ゲート３２が配置されている。
【００４４】
また、リトライ搬送路１８は、共通搬送路１３の終端近傍から一時保留部１１の第２受入口１１ｃにかけて設けられており、共通搬送路１３の終端近傍には共通搬送路１３によって搬送されてきた紙幣をそのまま第１収納部１５へ送り出すか共通搬送路１３からリトライ搬送路１８へ送り出すかを切り替える切替爪としてのリトライゲート３３が設けられている。
【００４５】
リトライ搬送路１８から送り出される紙幣を第２受入口１１ｃを通じて一時保留部１１内へ受け入れる受け入れ方向は、第１受入口１１ａからの紙幣の受け入れ方向と略同一になっている。また、第１受入口１１ａと第２受入口１１ｃとの位置関係から、一時保留部１１は、リトライ搬送路１８から送り出される紙幣を、遊技機島搬送路５から送り出される紙幣よりも一時保留部１１内で側部Ｋ側へ入るように受け入れるようになっている。
【００４６】
共通搬送路１３の搬送ローラ１３ａには、同軸下部に設けられた第１電磁クラッチ３５および第１タイミングベルト３６（図４参照）を介してモータ２５の下部シャフト２５ａから該モータ２５の回転力が伝達され、この搬送ローラ１３ａから共通搬送路１３やリトライ搬送路１８の各部に駆動力が伝達される。また、順転ローラ１２ａには同軸下部に設けられた第２電磁クラッチ３７および第２タイミングベルト３８を介してモータ２５の下部シャフト２５ａから該モータ２５の回転力が伝達される。
【００４７】
第１受入口１１ａに設けられた受入ローラ２１の外側近傍には、遊技機島搬送路５からの紙幣を検知するための受入センサ４１が取り付けられている。また、一時保留部１１には、一時保留部１１内の紙幣を検知する保留センサ４２が設けられ、リトライ搬送路１８の近傍には、リトライ搬送路１８を通る紙幣を検知するリトライセンサ４３が設けられている。
【００４８】
紙幣収納装置１０は、ＣＰＵ（Central Processing Unit）、ＲＯＭ（Read Only Memory）、ＲＡＭ（Random Access Memory）を主要部として構成された図示省略の制御部を備えており、受入センサ４１、保留センサ４２、リトライセンサ４３からそれぞれ検知情報を入力し、これらの検知情報および後述するリトライ条件に基づき、モータ２５や第１電磁クラッチ３５、第２電磁クラッチ３７、リジェクトゲート３１、収納ゲート３２、リトライゲート３３の動作を制御する。なお、リジェクトゲート３１、収納ゲート３２、リトライゲート３３はそれぞれソレノイドのオンオフによって変位し、制御部はこれらのソレノイドのオンオフ制御するようになっている。
【００４９】
次に、紙幣収納装置１０の動作を説明する。図６は紙幣Ｎが第１収納部１５、第２収納部１６、リジェクト部１９のいずれかに収容される場合の搬送ルートを、図７は、リトライ搬送路１８を通じて紙幣Ｎが一時保留部１１に戻される場合の搬送ルートを図中太線で示している。
【００５０】
遊技機島搬送路５を搬送されてきた紙幣が受入センサ４１によって検出されるとモータ２５が始動し、上部モータギア２４および上部伝達ギア２３を介して一対の受入ローラ２１と送込ベルト２６とが駆動されると共に、押圧羽根２８が矢印Ｂ方向に回転駆動される。これにより、遊技機島搬送路５から到来した紙幣は、回転する一対の受入ローラ２１によって一時保留部１１内へ送り込まれ、一時保留部１１内に受け入れられる。
【００５１】
一時保留部１１に紙幣が受け入れられると保留センサ４２によって紙幣が検出され、この検出を契機に搬送ローラ１３ａの下部に取り付けられた第１電磁クラッチ３５が作動し、モータ２５の下部シャフト２５ａから装置下部の第１タイミングベルト３６を介して回転駆動力が搬送ローラ１３ａに伝達される。これにより、識別手段１４や第１収納部１５などへ紙幣を搬送する共通搬送路１３およびリトライ搬送路１８が駆動される。また、一時保留部１１に短辺が略垂直となる姿勢のまま受け入れられた紙幣は、自重で一時保留部１１内の底面に落下し当接することにより、姿勢が整えられる。
【００５２】
その後、順転ローラ１２ａの下部に取り付けられた第２電磁クラッチ３７が作動し、モータ２５の下部シャフト２５ａから装置下部の第２タイミングベルト３８を介して回転駆動力が順転ローラ１２ａと逆転ローラ１２ｂに伝達され、順転ローラ１２ａは紙幣を一時保留部１１から送り出す方向に、逆転ローラ１２ｂはその逆方向にそれぞれ回転する。
【００５３】
一時保留部１１に受け入れられた紙幣は、回転する押圧羽根２８に接触して送込ベルト２６側へ押圧され、送込ベルト２６によって一時保留部１１の送出口１１ｂに向かって送り込まれる。送出手段１２は紙幣を１枚ずつ分離して送出口１１ｂから送り出す。すなわち、送出口１１ｂに紙幣が複数枚重なった状態で送り込まれた場合には、順転ローラ１２ａに接触した紙幣は送出口１１ｂから送り出され、逆転ローラ１２ｂと接触した紙幣は一時保留部１１内へ戻されるので、順転ローラ１２ａに接触した１枚の紙幣のみが送出口１１ｂから送り出される。また、送込ベルト２６によって一時保留部１１の送出口１１ｂに向かって送り込まれた紙幣が１枚の場合には、逆転ローラ１２ｂの摩擦力が順転ローラ１２ａと比較して小さいので、順転ローラ１２ａと逆転ローラ１２ｂとの間に進入した紙幣は順転ローラ１２ａの摩擦力により送出口１１ｂから共通搬送路１３へ送り出される。
【００５４】
共通搬送路１３へ送りされた紙幣は識別手段１４を通過する際に金種の識別が行われる。識別手段１４によって金種の識別に成功した紙幣は、その金種に応じて第１収納部１５または第２収納部１６に収納される(図６のＰ１またはＰ２)。
【００５５】
リジェクトゲート３１、収納ゲート３２、リトライゲート３３は、通常状態では、共通搬送路１３によって搬送される紙幣が第１収納部１５へ収納される位置になっており、紙幣を第２収納部１６へ収納するときは収納ゲート３２を作動させて変位させ、紙幣をリジェクト部１９へ収納するときはリジェクトゲート３１を作動させて変位させ、紙幣をリトライ搬送路１８へ送り出すときはリトライゲート３３を作動させて変位させるようになっている。
【００５６】
識別手段１４によって金種を識別できなかったときは、所定のリトライ条件が成立しているか否かを判断し、リトライ条件が成立している場合は、リトライゲート３３を作動させて変位させる。これにより、該紙幣はリトライ搬送路１８によって搬送され第２受入口１１ｃから一時保留部１１内へ戻される（図７、Ｐ３）。
【００５７】
一方、識別手段１４によって金種を識別できず、かつリトライ条件が不成立の場合は、リジェクトゲート３１を作動させて変位させ、その紙幣をリジェクト部１９に収納する（図６、Ｐ４）。
【００５８】
リトライ条件として以下のいずれかを選択することができる。
（１）リトライセンサ４３で単位時間に検出される紙幣の枚数が設定枚数以下の場合は成立し、設定枚数を超えた場合は不成立になる。
（２）リトライセンサ４３で検出される紙幣の通過間隔が設定間隔以上の場合は成立し、紙幣の通過間隔が設定間隔未満の場合は不成立になる。
（３）一時保留部１１内の紙幣の保留量を保留センサ４２によって検出し、検出される保留量が設定枚数以下の場合はリトライ条件が成立し、検出される保留量が設定枚数を超える場合は不成立になる。
なお、いずれをリトライ条件とするか、および各条件における設定枚数や設定間隔は、図示省略の操作部から設定変更することができるようになっている。
【００５９】
このように、金種を識別できなかった紙幣をリトライ条件が成立するときはリトライ搬送路１８を通じて一時保留部１１に戻すので、その紙幣を識別手段１４に再度通して金種を識別させることができ、最終的に金種の識別される紙幣の割合が高まってリジェクト部１９に収容される紙幣の枚数が減り、リジェクト部１９の容量を小さくすることができる。これにより、紙幣収納装置１０の小型化に貢献するほか、従業員がリジェクト部１９から紙幣を取り出し易くすることができる。
【００６０】
また、リトライ条件が不成立の場合は、リジェクト部１９へ収納するようにしたので、金種の識別できない紙幣がいつまでも紙幣収納装置１０内を周回することがなくなり、遊技機島搬送路５から送り込まれる他の紙幣の識別に支障を与えたり、多数の紙幣がリトライ搬送路１８に搬送されてジャムなどの搬送障害を引き起したりすることが防止される。
【００６１】
特に上記（２）のリトライ条件を用いる場合、リトライ搬送路１８を搬送される紙幣と紙幣との間隔が一定間隔以下にならないように制限することができ、前後の紙幣の衝突を防止できる。また（３）のリトライ条件を用いる場合、一時保留部１１内に溜まる紙幣の量を設定量以下にすることができ、多くの紙幣が一時保留部１１に溜まって第１受入口１１ａや第２受入口１１ｃからの新たな紙幣の受け入れに支障が生じたり、紙幣の詰まりやジャムが生じたりすることを防止することができる。
【００６２】
また、リトライ搬送路１８から一時保留部１１への紙幣の受け入れ方向と遊技機島搬送路５からの紙幣の受け入れ方向とを略同一にしたので、受け入れた紙幣を別途の複雑な機構を用いることなく整列させることができる。
【００６３】
さらに、一時保留部１１の一方の側部Ｋのうち、第１受入口１１ａと送出口１１ｂとの間の中央付近に第２受入口１１ｃを設けることによって、リトライ搬送路１８から送り出される紙幣が、遊技機島搬送路５から送り出される紙幣よりも、一時保留部１１内で第２受入口１１ｃの存在する側部Ｋ側へ入るようにし、かつ送出口１１ｂを側部Ｋ側へ片寄せて配置しているので、遊技機島搬送路５からの紙幣とリトライ搬送路１８からの紙幣とが同時期に一時保留部１１内へ送り出された場合でも、遊技機島搬送路５から送り出された紙幣よりもリトライ搬送路１８から送り出された紙幣が優先的に送出口１１ｂから排出される。
【００６４】
その結果、遊技機島搬送路５から送り出された紙幣が一時保留部１１の送出口１１ｂから送り出されるタイミングが少し遅れ、この遅れにより遊技機島搬送路５からの紙幣が一時保留部１１内に滞在する時間的余裕が生まれる。遊技機島搬送路５から送り出された紙幣の姿勢がある程度乱れていても、この時間的余裕の間に確実に紙幣が短辺が略垂直となる姿勢のまま自重で一時保留部１１内の底面に落下し当接することにより、姿勢が整えられ、紙幣を整列させることができるため、識別手段１４を通過するときの紙幣の姿勢の乱れが少なくなる。これにより、識別手段１４で金種の識別できない確率が低下すると共に、ジャムなどの搬送障害の発生を減少させることができる。
【００６５】
以上、本発明の実施の形態を図面によって説明してきたが、具体的な構成は実施の形態に示したものに限られるものではなく、本発明の要旨を逸脱しない範囲における変更や追加があっても本発明に含まれる。
【００６６】
たとえば、実施の形態では、一時保留部１１の一方の側部Ｋのうち、第１受入口１１ａと送出口１１ｂとの中央付近に対応する位置に第２受入口１１ｃを設けたが、第２受入口１１ｃの位置はこれに限定されるものではなく、遊技機島搬送路５から送り出される紙幣の一時保留部１１への受け入れ方向とリトライ搬送路１８から送り出される紙幣の一時保留部１１への受け入れ方向とが略同一となり、かつ遊技機島搬送路５から送り出される紙幣よりも一時保留部１１の特定の一方の側部Ｋ側へ入るように、リトライ搬送路１８から送り出される紙幣が一時保留部１１に受け入れられるようになされればよい。たとえば、リトライ搬送路１８からの紙幣の受け入れ方向と遊技機島搬送路５からの紙幣の受け入れ方向とをほぼ平行にする場合には、第２受入口１１ｃと第１受入口１１ａとを同じ端部に、かつ第２受入口１１ｃが第１受入口１１ａの側部Ｋ側となるように並べて配置してもよいし、この位置と実施の形態で示した第２受入口１１ｃの位置との間の任意の位置に配置されてもよい。
【００６７】
また、表裏面に遊技媒体貸機４を有する遊技機島２を例示したが、一方の面のみに遊技媒体貸機４や遊技機３が配設される遊技機島に対しても本発明の紙幣収納装置１０は適用される。
【００６８】
実施の形態の紙幣収納装置１０では、最終的に金種の識別されない紙幣をリジェクト部１９へ収納するようにしたが、リジェクト部１９を設けずに、最終的に金種の識別されなかった紙幣を一時保留部１１で保留するように構成されてもよい。この場合、紙幣を共通搬送路１３から離脱させてリジェクト部１９へ送り込むためのリジェクトゲート３１やリジェクト部１９を形成する仕切り板などが不要になり、装置構成を簡略化することができる。なお、一時保留部１１に一定量以上の紙幣が保留された場合に警告を発するなどして、一時保留部１１に溜まった紙幣の取り出しを従業員に促すように構成するとよい。
【００６９】
このほか実施の形態では、パチンコ機の設置された遊技機島２を例示したが、遊技機の種類はこれに限定されず、スロットマシーンなどでもかまわない。
【図面の簡単な説明】
【００７０】
【図１】本発明の実施の形態に係る紙幣収納装置の設置された遊技機島の内部構造を示す正面図である。
【図２】本発明の実施の形態に係る紙幣収納装置とその関連機器の遊技機島内での配置状態を示す上面図である。
【図３】本発明の実施の形態に係る紙幣収納装置の内部構造を示す上面図である。
【図４】本発明の実施の形態に係る紙幣収納装置の内部構造を示す正面図である。
【図５】本発明の実施の形態に係る紙幣収納装置の内部構造を示す左側面図である。
【図６】本発明の実施の形態に係る紙幣収納装置において紙幣が第１収納部、第２収納部、リジェクト部のいずれかに収容される場合の搬送ルートを示す説明図である。
【図７】本発明の実施の形態に係る紙幣収納装置において紙幣がリトライ搬送路を通じて一時保留部に戻される場合の搬送ルートを示す説明図である。
【符号の説明】
【００７１】
２…遊技機島
３…遊技機
４…遊技媒体貸機
４ａ…紙幣投入口
５…遊技機島搬送路
１０…紙幣収納装置
１１…一時保留部
１１ａ…第１受入口
１１ｂ…送出口
１１ｃ…第２受入口
１１ｄ…矩形開口
１２…送出手段
１２ａ…順転ローラ
１２ｂ…逆転ローラ
１３…共通搬送路
１３ａ…搬送ローラ
１４…識別手段
１４ａ…紙幣進入口
１５…第１収納部
１６…第２収納部
１８…リトライ搬送路
１９…リジェクト部
２１…受入ローラ
２３…上部伝達ギア
２４…上部モータギア
２５…モータ
２５ａ…モータの下部シャフト
２６…送込ベルト
２８…押圧羽根
２９…回転ドラム
３１…リジェクトゲート
３２…収納ゲート
３３…リトライゲート
３５…第１電磁クラッチ
３６…第１タイミングベルト
３７…第２電磁クラッチ
３８…第２タイミングベルト
４１…受入センサ
４２…保留センサ
４３…リトライセンサ
Ｋ…第２受入口のある側部
Ｎ…紙幣
【図１】
2008158609.tif 000003
【図２】
2008158609.tif 000004
【図３】
2008158609.tif 000005
【図４】
2008158609.tif 000006
【図５】
2008158609.tif 000007
【図６】
2008158609.tif 000008
【図７】
2008158609.tif 000009